(57)【特許請求の範囲】
【請求項１】
送信源から送信される複数種の有料のサービス情報を受信する受信手段と、前記受信手段により受信された前記有料のサービス情報を表示する表示手段と、複数ある有料のサービス情報種別の中から所望のサービス情報種別を予め選択する第１の選択手段と、前記第１の選択手段により選択される有料のサービス情報種別数を、ポイント数情報により示されるポイント数に応じて制限する選択数制限手段と、前記第１の選択手段により予め選択された有料のサービス情報種別の中から所望のサービス情報種別を選択する第２の選択手段と、この第２の選択手段により選択されたサービス情報種別のサービス情報の前記表示手段による表示を受信有効期間内においてのみ許可する表示制御手段とを備えたサービス情報受信装置に着脱可能とされているサービス情報受信装置用情報記憶媒体であって、
前記ポイント数を示すポイント数情報と、前記表示制御手段によるサービス情報の表示を許可する期間である前記受信有効期間とを記憶してなることを特徴とするサービス情報受信装置用情報記憶媒体。
【請求項２】
送信源から送信される複数種の有料のサービス情報を受信する受信手段と、
前記受信手段により受信された前記有料のサービス情報を表示する表示手段と、
ポイント数を示すポイント数情報と受信有効期間とを記憶する装置本体に対して着脱可能な情報記憶媒体と、
複数ある有料のサービス情報種別の中から所望のサービス情報種別を予め選択する第１の選択手段と、
前記第１の選択手段により選択される有料のサービス情報種別数を、前記情報記憶媒体に記憶されている前記ポイント数情報により示されるポイント数に応じて制限する選択数制限手段と、
前記第１の選択手段により予め選択された有料のサービス情報種別の中から所望のサービス情報種別を選択する第２の選択手段と、
この第２の選択手段により選択されたサービス情報種別のサービス情報の前記表示手段による表示を、前記情報記憶媒体に記憶されている前記受信有効期間内においてのみ許可する表示制御手段と
を備えたことを特徴とするサービス情報受信装置。
【請求項３】
前記第１の選択手段により選択されたサービス情報種別を示す種別情報が設定される種別情報設定手段を備え、
前記表示制御手段は、前記種別情報設定手段に設定されている種別情報により示されるサービス情報種別の有料のサービス情報の前記表示手段による表示を許可することを特徴とする請求項２記載のサービス情報受信装置。
【請求項４】
前記表示手段による有料のサービス情報の表示を許可するために必要なポイント数が前記サービス情報種別によりそれぞれ異なり、
前記選択数制限手段は、
前記第１の選択手段により選択されるサービス情報種別のポイント数の合計値を、前記ポイント数情報により示されるポイント数に応じて制限することにより、前記第１の選択手段により選択されるサービス情報種別数を制限することを特徴とする請求項２又は３記載のサービス情報受信装置。
【請求項５】
前記受信手段は、さらに前記送信源から送信される、サービス情報のリスト情報及び各サービス情報の有料、無料情報を受信し、
前記表示制御手段は、さらに前記リスト情報に基づきサービス情報のリストを前記表示手段の表示に供するとともに、前記有料情報に基づき前記リスト内の対応するサービス情報のリスト表示を、前記無料情報に基づくサービス情報のリスト表示とは異なる態様で前記表示手段の表示に供することを特徴とする請求項２、３又は４記載のサービス情報受信装置。
【請求項６】
前記受信手段は、さらに前記送信源から送信される、有料のサービス情報毎の見本となるサービス情報である見本サービス情報とこの見本サービス情報の有無を示す識別情報とを受信し、
前記表示制御手段は、さらに前記識別情報に基づいて、当該有料のサービス情報に対応する前記見本サービス情報の有無を前記表示手段の表示に供するとともに、所定の操作に応答して対応する見本サービス情報を前記表示手段の表示に供することを特徴とする請求項２乃至５いずれかに記載のサービス情報受信装置。
【請求項７】
複数種の有料のサービス情報を送信するサービス情報送信装置と、前記有料のサービス情報を受信し、表示手段にて表示するサービス情報受信装置とからなるサービス情報送受信システムにおいて、
前記サービス情報送信装置は、各有料のサービス情報の情報料に対応した重み付けポイント数を送信する送信手段を有し、
前記サービス情報受信装置は、
前記有料のサービス情報の最大選択ポイント数が記憶され装置本体に着脱可能な情報記憶媒体が装置本体に装着されている際に、該情報記憶媒体に記憶されている前記最大選択ポイント数を前記重み付けポイント数の合計が越えない範囲内において任意の有料のサービス情報を選択する選択手段と、
この選択手段により選択されたサービス情報を前記表示手段の表示に供する制御手段とを有し、
前記送信手段は、さらに前記有料のサービス情報毎の見本となるサービス情報である見本サービス情報とこの見本サービス情報の有無を示す識別情報とを、サービス情報のリスト情報とともに送信し、
前記制御手段は、さらに前記識別情報に基づいて、当該有料のサービス情報に対応する前記見本サービス情報の有無を前記表示手段の表示に供するとともに、所定の操作に応答して前記対応する見本サービス情報を前記表示手段の表示に供することを特徴とするサービス情報送受信システム。
【請求項８】
前記送信手段は、さらに無料のサービス情報とサービス情報のリスト情報、及び各サービス情報の有料、無料情報を送信し、
前記制御手段は、さらに前記リスト情報に基づきサービス情報のリストを前記表示手段の表示に供するとともに、前記有料情報に基づき前記リスト内の対応するサービス情報のリスト表示を、無料のサービス情報のリスト表示とは異なる態様で前記表示手段の表示に供することを特徴とする請求項７記載のサービス情報送受信システム。
【請求項９】
サービス情報送受信システムの送受信方法であって、
送信手段は複数種の有料のサービス情報とこれらのサービス情報の情報料に対応した重み付けポイント数を送信し、
受信手段は前記複数種の有料のサービス情報から任意のサービス情報を選択できるものであって、受信有効期間と前記有料のサービス情報の最大選択ポイント数を該受信手段に脱着可能な情報記憶媒体に記憶するとともに、当該選択した有料のサービス情報の重み付けポイント数の合計が前記最大選択ポイント数を越えない範囲内において、且つ前記受信有効期間内において前記有料のサービス情報を選択できることを特徴とするサービス情報送受信システムの送受信方法。
【請求項１０】
送信源から送信される複数種の有料のサービス情報を受信する受信手段と、
前記受信手段により受信された前記有料のサービス情報を表示する表示手段と、
ポイント数を示すポイント数情報と受信有効期間とを記憶する情報記憶媒体と、
複数ある有料のサービス情報種別の中から所望のサービス情報種別を予め選択する第１の選択手段と、
前記第１の選択手段により選択される有料のサービス情報種別数を、前記情報記憶媒体に記憶されている前記ポイント数情報により示されるポイント数に応じて制限する選択数制限手段と、
前記第１の選択手段により予め選択された有料のサービス情報種別の中から所望のサービス情報種別を選択する第２の選択手段と、
この第２の選択手段により選択されたサービス情報種別のサービス情報の前記表示手段による表示を、前記情報記憶媒体に記憶されている前記受信有効期間内においてのみ許可する表示制御手段とを備え、
前記受信手段は、さらに前記送信源から送信される、サービス情報のリスト情報及び各サービス情報の有料、無料情報を受信し、
前記表示制御手段は、さらに前記リスト情報に基づきサービス情報のリストを前記表示手段の表示に供するとともに、前記有料情報に基づき前記リスト内の対応するサービス情報のリスト表示を、前記無料情報に基づくサービス情報のリスト表示とは異なる態様で前記表示手段の表示に供することを特徴とするサービス情報受信装置。
【請求項１１】
前記情報記憶媒体は、装置本体に対して着脱可能であることを特徴とする請求項１０記載のサービス情報受信装置。
【請求項１２】
前記情報記憶媒体は、更に、受信有効期間を記憶し、
前記表示制御手段は、前記第２の選択手段により選択されたサービス情報種別の有料のサービス情報の前記表示手段による表示を、前記情報記憶媒体に記憶されている受信有効期間内においてのみ許可することを特徴とする請求項１０又は１１記載のサービス情報受信装置。
【請求項１３】
前記第１の選択手段により選択されたサービス情報種別を示す種別情報が設定される種別情報設定手段を備え、
前記表示制御手段は、前記種別情報設定手段に設定されている種別情報により示されるサービス情報種別の有料のサービス情報の前記表示手段による表示を許可することを特徴とする請求項１０乃至１２いずれかに記載のサービス情報受信装置。
【請求項１４】
前記表示手段による有料のサービス情報の表示を許可するために必要なポイント数が前記サービス情報種別によりそれぞれ異なり、
前記選択数制限手段は、
前記第１の選択手段により選択されるサービス情報種別のポイント数の合計値を、前記ポイント数情報により示されるポイント数に応じて制限することにより、前記第１の選択手段により選択されるサービス情報種別数を制限することを特徴とする請求項１０乃至１３いずれかに記載のサービス情報受信装置。
【発明の詳細な説明】
【０００１】
【産業上の利用分野】
本発明は、ＦＭ多重放送による有料のサービス情報（選択呼出しサービスを含む）の受信及び送受信に好適な情報記憶媒体及び情報記憶媒体を用いたサービス情報受信装置、並びにサービス情報送受信システム及びその送受信方法に関する。
【０００２】
【従来の技術】
従来、ＦＭ放送電波に文字情報等のサービス情報を多重させて送信し、そのサービス情報を受信側に設けた表示手段に表示させるＦＭ放送電波を媒体としたサービスが考えられている。このサービスは、いわゆ移動体ＦＭ文字多重放送とも称され、見えるラジオ（Ｖｉｓｕａｌ  Ｉｎｆｏｒｍａｔｉｏｎ  Ｒａｄｉｏ）として実用化されつつある。
【０００３】
具体的には、送信側のＦＭ放送局から通常のＦＭ放送電波に文字や数字等の表示情報を多重化させた電波を送信し、受信側に設けた液晶ディスプレイ付きＦＭラジオにより前記電波を受信して、ＦＭ放送電波と文字や数字等の表示情報等とを分離し、表示情報を文字コードに変換して液晶ディスプレイに表示し利用者の視認に供するようにしたものである。これにより、利用者は例えば天気予報、交通情報等を文字により視認することが可能となる。この移動体ＦＭ文字多重放送においては、無料のサービス情報の提供の他、特定のサービス情報については有料化することが考えられている。
【０００４】
【発明が解決しようとする課題】
上述した移動体ＦＭ文字多重放送における有料サービス情報を利用者に提供する場合、この移動体ＦＭ文字多重放送を営む事業者は何等かの方法で利用者から利用料金を徴収する必要がある。しかし、単純に事業者と利用者との間の料金月払い契約等で徴収しようとすると、利用者側の支払い滞納等が生じ易く、利用者の管理が煩雑になるという問題がある。
【０００５】
また、利用者側にしてみれば、事業者又は金融機関等へ利用料金を支払いに行かなければばならず、利用者側の負担が大きいという問題がある。更に、移動体ＦＭ文字多重放送の場合、ＦＭ放送電波を利用する関係上支払い滞納の利用者のみサービス情報の提供を中止することは実際上困難である。
【０００６】
そこで、本発明は、有料のサービス情報の放送を行う際に、利用者にとって利用料金の支払い処理が簡略であり、事業者にとって煩雑さを伴うことなく利用者を管理することのできる情報記憶媒体及び情報記憶媒体を用いたサービス情報受信装置、並びにサービス情報送受信システム及びその送受信方法を提供することを目的とするものである。
【０００７】
【課題を解決するための手段】
前記課題を解決するため本発明にかかる情報記憶媒体にあっては、送信源から送信される複数種の有料のサービス情報を受信する受信手段と、前記受信手段により受信された前記有料のサービス情報を表示する表示手段と、複数ある有料のサービス情報種別の中から所望のサービス情報種別を予め選択する第１の選択手段と、前記第１の選択手段により選択される有料のサービス情報種別数を、ポイント数情報により示されるポイント数に応じて制限する選択数制限手段と、前記第１の選択手段により予め選択された有料のサービス情報種別の中から所望のサービス情報種別を選択する第２の選択手段と、この第２の選択手段により選択されたサービス情報種別のサービス情報の前記表示手段による表示を受信有効期間内においてのみ許可する表示制御手段とを備えたサービス情報受信装置に着脱可能とされているサービス情報受信装置用情報記憶媒体であって、前記ポイント数を示すポイント数情報と、前記表示制御手段によるサービス情報の表示を許可する期間である前記受信有効期間とを記憶してなる。
【０００８】
また、本発明にかかるサービス情報受信装置にあっては、送信源から送信される複数種の有料のサービス情報を受信する受信手段と、前記受信手段により受信された前記有料のサービス情報を表示する表示手段と、ポイント数を示すポイント数情報と受信有効期間とを記憶する装置本体に対して着脱可能な情報記憶媒体と、複数ある有料のサービス情報種別の中から所望のサービス情報種別を予め選択する第１の選択手段と、前記第１の選択手段により選択される有料のサービス情報種別数を、前記情報記憶媒体に記憶されている前記ポイント数情報により示されるポイント数に応じて制限する選択数制限手段と、前記第１の選択手段により予め選択された有料のサービス情報種別の中から所望のサービス情報種別を選択する第２の選択手段と、この第２の選択手段により選択されたサービス情報種別のサービス情報の前記表示手段による表示を、前記情報記憶媒体に記憶されている前記受信有効期間内においてのみ許可する表示制御手段とを備えている。
【０００９】
さらに、本発明にかかるサービス情報受信装置にあっては、前記受信手段は、さらに前記送信源から送信される、サービス情報のリスト情報及び各サービス情報の有料、無料情報を受信し、前記表示制御手段は、さらに前記リスト情報に基づきサービス情報のリストを前記表示手段の表示に供するとともに、前記有料情報に基づき前記リスト内の対応するサービス情報のリスト表示を、前記無料情報に基づくサービス情報のリスト表示とは異なる態様で前記表示手段の表示に供する。また、前記受信手段は、さらに前記送信源から送信される、有料のサービス情報毎の見本となるサービス情報である見本サービス情報とこの見本サービス情報の有無を示す識別情報とを受信し、前記表示制御手段は、さらに前記識別情報に基づいて、当該有料のサービス情報に対応する前記見本サービス情報の有無を前記表示手段の表示に供するとともに、所定の操作に応答して対応する見本サービス情報を前記表示手段の表示に供する。
【００１０】
また、本発明にかかるサービス情報送受信システムにあっては、複数種の有料のサービス情報を送信するサービス情報送信装置と、前記有料のサービス情報を受信し、表示手段にて表示するサービス情報受信装置とからなるサービス情報送受信システムにおいて、前記サービス情報送信装置は、各有料のサービス情報の情報料に対応した重み付けポイント数を送信する送信手段を有し、前記サービス情報受信装置は、前記有料のサービス情報の最大選択ポイント数が記憶され装置本体に着脱可能な情報記憶媒体が装置本体に装着されている際に、該情報記憶媒体に記憶されている前記最大選択ポイント数を前記重み付けポイント数の合計が越えない範囲内において任意の有料のサービス情報を選択する選択手段と、この選択手段により選択されたサービス情報を前記表示手段の表示に供する制御手段とを有し、前記送信手段は、さらに前記有料のサービス情報毎の見本となるサービス情報である見本サービス情報とこの見本サービス情報の有無を示す識別情報とを、サービス情報のリスト情報とともに送信し、前記制御手段は、さらに前記識別情報に基づいて、当該有料のサービス情報に対応する前記見本サービス情報の有無を前記表示手段の表示に供するとともに、所定の操作に応答して前記対応する見本サービス情報を前記表示手段の表示に供する。
【００１１】
また、前記送信手段は、さらに無料のサービス情報とサービス情報のリスト情報、及び各サービス情報の有料、無料情報を送信し、前記制御手段は、さらに前記リスト情報に基づきサービス情報のリストを前記表示手段の表示に供するとともに、前記有料情報に基づき前記リスト内の対応するサービス情報のリスト表示を、無料のサービス情報のリスト表示とは異なる態様で前記表示手段の表示に供するように構成されている。あるいは、前記送信手段は、さらに前記有料のサービス情報の見本である見本サービス情報とこの見本サービス情報の有無を示す識別情報とを、サービス情報のリスト情報とともに送信し、前記制御手段は、さらに前記識別情報に基づいて、前記見本サービス情報の有無を前記表示手段の表示に供するとともに、所定の操作に応答して対応する見本サービス情報を前記表示手段の表示に供するように構成されている。
【００１２】
また、本発明は、サービス情報送受信システムの送受信方法であって、送信手段は複数種の有料のサービス情報とこれらのサービス情報の情報料に対応した重み付けポイント数を送信し、受信手段は前記複数種の有料のサービス情報から任意のサービス情報を選択できるものであって、受信有効期間と前記有料のサービス情報の最大選択ポイント数を該受信手段に脱着可能な情報記憶媒体に記憶するとともに、当該選択した有料のサービス情報の重み付けポイント数の合計が前記最大選択ポイント数を越えない範囲内において、且つ前記受信有効期間内において前記有料のサービス情報を選択できるように構成されている。
【００１４】
【作用】
前記情報記憶媒体には、前記ポイント数を示すポイント数情報が記憶されている。したがって、この情報記憶媒体を、その装着により有料のサービス情報が受信可能なサービス情報受信装置を有する送受信システムに用いることにより、情報記憶媒体を販売する時点で、サービス情報のポイント数に対応した課金が可能となる。また、さらに受信有効期間をも記憶させておけば、ポイント数と受信有効期間との組み合わせにより多様な課金形態を採用することができる。
【００１５】
また、前記構成のサービス情報受信装置においては、第１の選択手段が情報記憶媒体に記憶されているポイント数内おいて任意の有料のサービス情報種別を選択し、第２の選択手段が第１の選択手段により予め選択された有料のサービス情報種別の中から所望のサービス情報種別を選択すると、制御手段は、この選択された有料のサービス情報の表示手段による表示を許可する。したがって、利用者はポイント数内において自由にサービス情報を選択し得る一方、サービス情報を提供する事業者は、情報記録媒体を介して、利用者が受けることが可能なサービス情報の数を管理することができる。また、制御手段が情報記憶媒体に記憶された受信有効期間においてのみ、選択されたサービス情報を表示に供することにより、事業者はサービス情報の選択数と期間との両面から使用者を自己の管理下に置くことが可能となる。さらに、有料のサービス情報の重み付けポイント値の合計が、ポイント数を越えない範囲内において、第１の選択手段が有料のサービスを選択することにより、サービス情報の重要度に応じてポイント数内で選択し得るサービス情報の数が変化し、延いてはサービス情報の重要度に応じた課金形態が形成される。
【００１６】
さらに、表示手段にてサービス情報のリストを表示し、このときリスト内において有料のサービス情報表示を無料のサービス情報表示と異なる態様で表示することにより、狭い面積からなる表示手段であっても、両者の相違が明瞭となる。また、表示手段が見本サービス情報の有無を表示するとともに、所定の操作に応答して対応する見本サービス情報を表示することにより、必要な見本サービス情報のみを適時的に表示させ得る。
【００１７】
加えて、前記構成のサービス情報送受信システムにおいては、サービス情報受信装置側から有料及び無料のサービス情報とともに、各有料のサービス情報の重み付けポイント値が送信される。そして、サービス情報受信装置側において選択手段は、重み付けポイント値の合計が、最大選択ポイント数を越えない範囲内において、任意の有料のサービスを選択する。したがって、サービス情報の重要度に応じて最大選択ポイント数内で選択し得るサービス情報の数が変化し、よって、記憶された最大選択ポイント数によって異なる料金で情報記憶媒体の販売を行うことにより、サービス情報の重要度に応じた課金システムを構築できる。
【００１８】
また、サービス情報送信装置側から、サービス情報のリスト情報と各サービス情報の有料、無料情報とを送信し、サービス情報受信装置側において、表示手段にてサービス情報のリストを表示し、このときリスト内において有料のサービス情報表示を無料のサービス情報表示と異なる態様で表示する。したがって、リストにおいて、有料のサービス情報と無料のサービス情報とを明瞭に識別できる。
さらに、サービス情報送信装置側から、有料のサービス情報の見本である見本サービス情報と、この見本サービス情報の有無を示す識別情報とを前記リスト情報とともに送信し、サービス情報受信装置側において、見本サービス情報の有無を前記表示手段の表示に供するとともに、所定の操作に応答して対応する見本サービス情報を表示する。よって、この見本サービス情報の表示により、有料のサービス情報の概要を示して、その受信を促すことが可能となる。
【００１９】
また、前記構成のサービス情報送受信システムの送受信方法においては、選択したサービス情報の重み付けポイント数の合計が前記最大選択ポイント数を超えない範囲内において、且つ受信有効期間内においてサービス情報を選択でき、これにより、利用者にサービス情報の選択の自由を与えつつ課金が可能となる。また、受信有効期間とサービス情報の最大選択ポイント数とが情報記憶媒体に記憶されることにより、利用者は享受するサービス情報の種類や期間に応じて適宜の情報記録媒体を選択して購入し得る。
【００２０】
さらに、選択したサービス情報の重み付けポイントの合計が最大選択ポイントを超えない範囲内において、且つ前記受信有効期間内において前記サービス情報を選択できることから、サービス情報の質と量とを考慮した課金体系が確立される。
【００２１】
この移動体ＦＭ文字多重放送のシステムは、有料及び無料のサービス情報を多重化したＦＭ放送電波を送信する事業者であるＦＭ放送局３と、このＦＭ放送局３からのＦＭ放送電波を受信する本実施例のサービス情報受信装置１と、このサービス情報受信装置１において、有料のサービス情報を受信する際に用いる情報記憶媒体であるＩＣカード２の販売を行う、コンビニエンスストア等の販売店４とから構成され、この販売店４は前記ＦＭ放送局３と所定のカード売買契約等を交わしている。
【００２２】
次に、前記サービス情報受信装置１について、図２から図５を参照して説明する。
【００２３】
このサービス情報受信装置１には、図２に示すように、略直方体状の装置本体１Ａの表面に、キー入力部５、サービス情報等を表示する表示手段としての表示部６が設けられている。キー入力部５には、文字削除キー７、機能選択キー８、ひらがな、カタカナ及び数字を選択する文字・数字選択キー９、絵文字キー１０、“あ”〜“わ”のひらがな及び“１”〜“０”の数字を入力するひらがな・数字入力キー群１１、放送電波のチューニングを行うチューニングキー１２、ラジオ、サービス情報の切り替えキー１３、情報メモリー１４、情報メニューキー１５、ＯＫキー１６、ＦＭ多重の番組選択、カーソル移動、実行、計算実行等を行うカーソルキー１７、情報バンク、電話、計算、シークレット等のモードを選択するモードキー群１８等が設けられている。
【００２４】
前記サービス情報受信装置１の一方の側面には、図３に示すように、ステレオヘッドホン用ジャック１９、音量調整ダイヤル２０、電源スイッチ２１が設けられている。前記サービス情報受信装置１の他方の側面には、図４に示すように、情報記憶媒体であるＩＣカード２を装着するスロット２２が設けられている。
【００２５】
図５は、前記サービス情報受信装置１の構造を示すブロック図であり、ＦＭ放送電波を受信し対応する音声を発音するＦＭラジオ部３０と、このＦＭラジオ部３０により受信したＦＭ放送電波に多重化されている有料、無料のサービス情報の受信に対する各種の処理を行うサービス情報受信部４０とを有している。
【００２６】
前記ＦＭラジオ部３０は、ＦＭ放送電波を受信するアンテナ３１と、ＦＭ放送電波のチューニングを行うＦＭチューナ３２と、ＦＭ信号の復調を行うＦＭ復調器３３と、復調されたＦＭ信号をステレオ信号にするステレオ復調器３４と、このステレオ復調器３４の出力信号を増幅する一対のアンプ３５ａ，３５ｂと、アンプ３５ａ，３５ｂで増幅された信号を音声として出力する一対のスピーカ３６ａ，３６ｂとを具備している。前記ステレオヘッドホン用ジャック１９にステレオヘッドホンを装着してＦＭステレオ放送を聴取することも勿論可能である。
【００２７】
前記サービス情報受信部４０は、前記ＦＭ復調器３３に接続され、前記ＦＭステレオ放送のＬ、Ｒ信号の変調度に対して多重信号の大きさ（レベル）を４〜１０％まで変化するデジタル変調を行いＦＭ放送電波に多重化されているサービス情報を分離するＬ−ＭＳＫ（Level Controlled Minimam Shift Keying)復調器４１と、誤り訂正符号器４２と、分離されたサービス情報に対する各種の処理を行う受信処理部４３とを有している。
【００２８】
この受信処理部４３に対して、処理プログラムを格納したＲＯＭ４４と、前記キー入力部５及び表示部６と、前記ＩＣカード２に対する読取り書き込み処理を行うカード処理部４５と、受信データ（受信情報）を記憶する受信データメモリ４７及び前記キー入力部５からの入力データ（入力情報）を記憶する入力データメモリ４８と、受信処理部４３の処理結果に応じて警報を発するブザー等の報音部４９と、前記キー入力部５におけるチューニングキー１２の操作に応じて前記ＦＭチューナ３２の受信チューニングを行う受信制御部５５とが接続されている。
【００２９】
図６は、前記ＩＣカード２の構成を示すブロック図であり、このＩＣカード２は、サービス情報受信装置１本体とデータの授受を行うコネクタ５１と、後述する有効期間相対値データ等を記憶するＥＥＰＲＯＭ５２と、暗号化受け渡し用のＣＰＵ５３とから構成されている。
【００３０】
図７は、このＩＣカード２におけるＥＥＰＲＯＭ５２のメモリエリア構造を示すものであり、有効期間相対値データ記憶領域５２ａ、使用開始日データ書き込み領域５２ｂ、使用終了日データ書き込み領域５２ｃ、未使用フラグデータ書き込み領域５２ｄ、及び有料番組許可数データ記憶領域５２ｅが設けられている。有効期間相対値データ記憶領域５２ａには、有効期間相対値データＵＤが予め記憶されており、この有効期間相対値データＵＤは、“日”を単位として１〜３６５のいずれかの相対有効期間を示す９ビットデータで構成され、例えば６ケ月であれば“１８２”を示すデータが、１２ケ月であれば“３６５”を示すデータが、工場出荷時等において予め記憶されている。
【００３１】
使用開始日データ書き込み領域５２ｂには、後述する処理により使用開始年データＳＫＹＤと、使用開始月日データＳＫＤＤとが書き込まれる。使用開始年データＳＫＹＤは、１９９４年から２０１０年まで示す４ビットデータで書き込まれ、使用開始月日データＳＫＤＤは、１日から３６５日に対応する０〜３６４の９ビットデータで書き込まれる。したがって、例えば使用開始日が１９９４年１２月３１であるとすると、ＳＫＹＤとして“１９９４”を示す４ビットデータが書き込まれ、ＳＫＤＤとして１２月３１日に対応する“３６４”を示す９ビットデータが書き込まれることとなる。
【００３２】
使用終了日データ書き込み領域５２ｃにも、後述する処理により使用終了年データＳＳＹＤと、使用終了月日データＳＳＤＤとが、同様にして各々１９９４年から２０１０年まで示す４ビットデータと、１日から３６５日に対応する０〜３６４の９ビットデータで書き込まれる。さらに、未使用フラグデータ書き込み領域５２ｄにも、工場出荷時等において予め未使用を示すフラグＭＦ＝１が書き込まれており、このフラグＭＦは、このＩＣカード２の使用が開始された時点で、使用開始済みを示すＭＦ＝０に書き換えられる。
【００３３】
有料番組許可数データ記憶領域５２ｅには、有料のサービス情報の最大選択ポイント数としての有料番組許可数データＵＢＤが工場出荷時等において予め書き込まれており、この有料番組許可数データＵＢＤは１番組〜３番組に対応する“１”〜“３”のいずれかの値からなる。この有料番組許可数データＵＢＤと前記有効期間相対値データＵＤとは、当該ＩＣカード２の種類及び販売価格に応じて異なり、販売価格の高いＩＣカード２ほど、大きな値からなる有料番組許可数データＵＢＤと有効期間相対値データＵＤとが記憶されている。
【００３４】
図８は、前記ＦＭ放送局３に配置されるサービス情報送信装置７０を示すものであり、このサービス情報送信装置７０は、送信部７１と、多重化処理部７２と、後述するような有料、無料のサービス情報を多重化処理部７２に送り出す送信処理手段である送信処理部７３、及び現在年月日データを発生する計時部７４を具備している。送信部７１は、音声情報のステレオ変調を行うステレオ変調器７５と、ＦＭ変調器７６と、送信器７７と、送信アンテナ７８とを具備している。多重化処理部７２は、符号化部８２、多重化部７９、誤り訂正付加器８０、Ｌ−ＭＳＫ変調器８１を具備している。
【００３５】
前記ＦＭ放送電波に多重化されるサービス情報の送信信号フォーマットについて図９を参照して説明する。サービス情報の送信情報は、年月日データＨＤ、番組表データと、これに続くサービス情報である番組１〜番組Ｎの内容データとで構成され、これら一連のデータが繰り返し送信される。番組表データは、番組表であることを示すＩＤ（ＩＤ＝ＨＩ）、番組総数ＢＳ、及び番組固有データで構成される。この番組固有データは、番組名ＢＭ、有料放送コードＨＵ（“０”で無料を示し“１”で有料を示す）、見本番組有無コードＭＢ（“０”で見本番組無し“１”で見本番組有りを示す）、及び有料番組の重み付けポイント値としての料金割増コードＫＹ（“１”〜“３”の割増倍率を示す）とで構成されている。
【００３６】
なお、図示は実データであり、実際は誤り訂正用のチェックサムや暗号化処理等を行って送信される。また、無料番組の場合には、料金割増コードＫＹ＝０である。さらに、前記受信データメモリ４７には、この図９に示した送信信号フォーマットと同一構成からなるメモリエリアが設けられており、同図に示したサービス情報の全てのデータが受信データメモリ４７のメモリエリアに記憶される。次に、前記サービス情報受信装置１の動作を図１０以降に示したフローチャートに従って説明する。なお、フローにおいては、下記に示すデータ及びレジスタを用いている。
0003738327.tif 000002
インクリメントレジスタＮＲ：ＫＢＲ１〜４を指定するための値を格納する。
【００３７】
すなわち、サービス情報受信装置１内の受信処理部４３は、電源の投入に伴って図１０〜１２に示した一連のフローに従って動作を開始し、電源の投入に応答して期限切れレジスタＫＧＲをセットし（ＳＡ１）、年月日データＨＤの受信を監視する（ＳＡ２）。そして、前述したフォーマットからなる送信信号から年月日データＨＤが受信されると、この年月日データＨＤをＧＲに格納する。ここで、ＧＲは前記のようにＧＹＲ及びＧＤＲの両レジスタを示すことから、この受信した年月日データＨＤのうち、４ビットの現在年データを現在年データレジスタＧＹＲに格納し、９ビットの現在月日データを現在月日データレジスタＧＤＲに格納する（ＳＡ３）。
【００３８】
次に、番組表を示すＩＤであるＨＩの受信を監視して（ＳＡ４）、ＨＩを受信したならば番組表データを取り込む（ＳＡ５）。引き続き、前記情報メニューキー１５の状態を検出して、その操作により番組選択画面表示モードが設定されているか否かを判別し（ＳＡ６）、番組選択画面表示モードが設定されていない場合にはＳＡ８に進み、設定されている場合には後述する番組選択画面作成処理（ＳＡ７）を実行する。また、ＳＡ６又はＳＡ７に続くＳＡ８では、番組内容データを取り込み、引き続き後述する番組選択操作処理（ＳＡ９）を実行する。次に、ＩＣカード２がスロット２２に装着されているか否かを検出し（ＳＡ１０）、装着されていない場合には、レジスタＫＧＲに１をセットした後（ＳＡ２６）、ＳＡ２に戻る。
【００３９】
そして、ＩＣカード２がスロット２２に装着されたならば、このＩＣカード２に予め記憶されているフラグＭＦの状態を読み取って、ＭＦ＝１であるか否かを判別する（ＳＡ１１）。この判別の結果、ＭＦ＝１であって、当該ＩＣカード２が未使用であれば、この日が当該ＩＣカード２の使用開始日である。したがって、ＧＹＲに格納されている現在年データを、使用開始年データＳＫＹＤとして、ＥＥＰＲＯＭ５２の使用開始日データ書き込み領域５２ｂに書き込むとともに、ＧＤＲに格納されている現在月日データを、使用開始月日データＳＫＤＤとして、前記使用開始日データ書き込み領域５２ｂに書き込む（図１１ＳＡ１２）。
【００４０】
次に、ＥＥＰＲＯＭ５２の有効期間相対値データ記憶領域５２ａから、有効期間相対値データＵＤを読み取って、この有効期間相対値データＵＤとＧＤＲに格納されている現在月日データを加算し、その値を日付演算レジスタＨＺＲに格納する（ＳＡ１３）。引き続き、ＨＺＲの値が３６４以下であるか否かを判別する（ＳＡ１４）。ここで、ＨＺＲの値が３６４以下であれば、“年”の値を繰り上げなくても、現在年と、現在月日＋有効期間相対データとで、使用終了日を示すことができる。
【００４１】
よって、この場合にはＧＹＲに格納されている現在年データをそのまま、使用終了年データＳＳＹＤとして、使用終了日データ書き込み領域５２ｃに書き込むとともに（ＳＡ１５）、ＨＺＲに格納されている“現在月日＋有効期間相対データ”を使用終了月日データＳＳＤＤとして、使用終了日データ書き込み領域５２ｃに書き込む（ＳＡ１６）。しかる後に、当該ＩＣカード２が使用開始済みとなったことを示すべく、フラグＭＦをリセットした後（ＳＡ１９）、ＫＧＲをリセットして（ＳＡ２０）、当該ＩＣカード２が有効期限内にであることを示し、引き続き、後述する有料番組受信設定処理（ＳＡ２１）を実行して、ＳＡ２に戻る。
【００４２】
しかし、ＳＡ１４での判別の結果、ＨＺＲの値が３６４を超える場合には、“年”の値を繰り上げなければ、１日から３６５日に対応する０〜３６４の数値で使用終了日を表すことができない。そこで、ＧＹＲに格納されている現在年データの値をインクリメントして、このインクリメントした値を使用終了年データＳＳＹＤとして、使用終了日データ書き込み領域５２ｃに書き込む（ＳＡ１７）。引き続き、ＨＺＲに格納されている“現在月日＋有効期間相対データ”から３６４を減じて、その値を使用終了月日データＳＳＤＤとして、同使用終了日データ書き込み領域５２ｃに書き込む（ＳＡ１８）。しかる後に、前述したＳＡ１９〜ＳＡ２１の処理を行って、ＳＡ２に戻る。
【００４３】
他方、ＳＡ１１での判別の結果ＭＦ＝０であれば、このＩＣカード２は既に使用開始済みのものである。そして、使用開始済みの状態にある場合には、先ず使用終了年データＳＳＹＤとＧＹＲに格納されている現在年データとを比較し、ＳＳＹＤ≦ＧＹＲであるか否かを判別する（図１２ＳＡ２２）。この判別の結果、ＳＹＤ≦ＧＹＲでなければ、この時点で当該ＩＣカード２は期限切れでないことが明らかであり、よって、期限切れレジスタＫＧＲに“０”をセットして有効期限内であることを示した後（ＳＡ２５）、ＳＡ２に戻る。
【００４４】
また、ＳＡ２２でＳＳＹＤ≦ＧＹＲであった場合には、使用終了年データと現在年データとが一致している場合も有り得る。そこで、次に、使用終了月日データＳＳＤＤとＧＤＲに格納されている現在月日データとを比較し、ＳＳＤＤ≦ＧＤＲか否かを判別する（ＳＡ２３）。この判別の結果、ＳＳＤＤ≦ＧＤＲでなければ、当該ＩＣカード２は有効期限内であることから、期限切れレジスタＫＧＲに“０”をセットして有効期限内であることを示す（ＳＡ２５）。しかし、ＳＡ２２でＳＳＹＤ≦ＧＹＲであり、かつ、ＳＡ２３でＳＳＤＤ≦ＧＤＲであった場合には、当該ＩＣカード２は既に有効期限切れとなっていることから、ＫＧＲに“１”をセットして期限切れであることを示した後（ＳＡ２４）、ＳＡ２に戻る。
【００４５】
なお、この実施例においては図１０のＳＡ６で、番組選択画面表示モードが設定されているか否かを判別し、設定されている場合にのみ番組選択画面作成処理（ＳＡ７）を実行するようにした。しかし、ＳＡ６の判別を行うことなく、番組表データを取り込んだ後（ＳＡ６）、即時に番組選択画面作成処理を行うようにしてもよい。
【００４６】
この番組選択画面作成処理（ＳＡ７）は、図１３に示すフローに従って行われ、表項目、枠を描画した後（ＳＢ１）、ＢＭ１〜Ｎの番組名を表示する（ＳＢ２）。このＳＢ１及びＳＢ２の処理により、図１６（Ａ）に示すように表示部６には、「番組名」「有料」「見本番組」「割増」の表項目とともに枠が表示される。引き続き、有料放送コードＵＨ＝１である番組の「有料」欄に「〇」を描画するとともに（ＳＢ３）、見本番組有無コードＭＢ＝１である番組の「見本番組」欄に「〇」を描画する（ＳＢ４）。
【００４７】
次に、料金割増コードＫＹの値が１を超える番組があるか否か判別して（ＳＢ５）、ＫＹ＝０であって無料番組である場合及びＫＹ＝１である場合には、ＳＢ６の処理を行うことなく、ＳＢ７に進む。また、ＫＹ＝２ｏｒ３である場合には、その番組の「割増」欄に「×」とＫＹの値を描画する（ＳＢ６）。したがって、例えば受信信号が下記及び図９に示したデータを有しているとすると、以上の処理により図１６（Ａ）に示すように、「番組名」には「番組あ」〜「番組え」が表示され、「有料」欄には「番組い」〜「番組え」に対応して「〇」が表示され、「見本番組」欄には「番組う」及び「番組え」に対応して「〇」が表示されるとともに、「割増」欄には「番組え」に対応して「×２」が表示されることとなる。
【００４８】
ＢＳ＝４
ＢＭ＝番組あ、ＵＨ＝０，ＭＢ＝０，ＫＹ＝０，ＢＢ＝１
ＢＭ＝番組い、ＵＨ＝１，ＭＢ＝０，ＫＹ＝１，ＢＢ＝２
ＢＭ＝番組う、ＵＨ＝１，ＭＢ＝１，ＫＹ＝１，ＢＢ＝３
ＢＭ＝番組え、ＵＨ＝１，ＭＢ＝１，ＫＹ＝２，ＢＢ＝４
また、ＳＢ５及びＳＢ６に続くＳＢ７では、期限切れレジスタＫＧＲ＝１であるか否かを判別するが、このＫＧＲは図１０のＳＡ１で初期時にセットされていることから、始動時においてはＫＧＲ＝１であり、よって、有料放送コードＵＨ＝１の番組の「有料」欄を網掛けするとともに（ＳＢ８）、ＵＨ＝１かつ見本番組有無コードＭＢ＝０の番組の「番組名」欄を網掛けする（ＳＢ９）。このＳＢ８及びＳＢ９の処理により、図１６（Ａ）に例示するように、「番組い」の「番組名」欄及び「番組い」〜「番組え」の「有料」欄に網掛けが表示される。つまり、「番組名」欄の網掛けにより、見本番組のない有料番組であることが示されるとともに、「有料」欄の網掛けにより、表示不可能な有料番組であることが示される。
【００４９】
また、ＫＧＲ＝０であって、後述するようにこのＩＣカード２が期限内である場合には、ＳＢ７からＳＢ１０に進み、有料放送コードＵＨ＝１の番組の「有料」欄を網掛けする（ＳＢ１０）。次に、ＮＲに“１”をセットした後（ＳＢ１１）、このＮＲの示すＫＢＲの値の「有料」欄の網掛けを消す（ＳＢ１２）。ここで、許可番組番号レジスタＫＢＲは、前述のようにＫＢＲ１〜４で構成され、ＫＢＲ１〜３には、後述する処理により有料視認することに決めた番組番号（本例の場合１〜４のいずれか）が格納され、このとき有料視認することを決めた番組番号はＫＢＲ１から順に格納され、また、ＫＢＲ４は常時に“０”が格納されている。
【００５０】
そこで、先ずＳＢ１１では、ＮＲ＝１をセットして、続くＳＢ１２でＫＢＲ１の値に対応する番組番号の「有料」欄の網掛けを消し、これにより当該番組番号の番組が有料視認として選択されたことを示す。次に、このＫＢＲ１の値の番組の見本番組有無コードＭＢ＝１であるか否かを判別し（ＳＢ１３）、ＭＢ＝１であって見本番組がある場合には、同番組に対応する「見本番組」欄を網掛けする（ＳＢ１４）。これにより、この番組は有料視認として選択されたから、見本番組の視認は不要であることを示す。引き続き、ＮＲをインクリメントした後（ＳＢ１５）、このインクリメントしたＮＲの示すＫＢＲの値が“０”であるか否かを判別し（ＳＢ１６）、“０”でない場合にはＳＢ１２に戻り、“０”である場合には、この番組選択画面作成処理を終了する。
【００５１】
したがって、ＫＢＲ１〜３の全てに“１”〜“４”のいずれかの値が格納されている場合には、ＳＢ１２〜ＳＢ１６のループが３回繰り返されることとなり、ＮＲ＝４となったとき、ＫＢＲ４は常に“０”であることからＳＢ１６からストップ処理に進むこととなる。また、例えば“ＭＢ２＝番組い”と“ＭＢ４＝番組え”（この“ＭＢ４＝番組え”は見本番組有）とが予め選択されている場合には、前記ループが２回繰り返され、図１６（Ｂ）に示すように、「３．番組う」の「有料」欄に網掛けが残り、「４．番組え」の「見本番組」欄に網掛けが付される。つまり、「有料」欄の網掛けにより選択されていない有料番組であることが示されるとともに、「見本番組」欄の網掛けにより当該有料番組が選択されていて、見本番組が不可能であることが示される。
【００５２】
他方、前記有料番組受信設定処理（ＳＡ２１）は、図１４に示すフローに従って行われ、表項目、枠を描画した後（ＳＣ１）、ＢＭ１〜Ｎの番組名を表示し（ＳＣ２）、さらに有料放送コードＵＨ＝０（無料）の「番組名」欄を網掛けする（ＳＣ３）。このＳＣ１〜ＳＣ３の処理により、図１６（Ｃ）に示すように表示部６には、「番組名」「設定」「割増」の表項目及び枠が表示され、「番組名」欄に「番組あ」〜「番組え」が表示されるとともに、無料番組である「番組あ」に網掛けが表示される。これにより、選択対象となる有料番組の「番組い」〜「番組え」が網掛けのない状態となって明瞭化する。
【００５３】
次に、番組許可演算レジスタＢＺＲに有料番組許可数データＵＢＤの値（１〜３のいずれか）を格納し（ＳＣ４）、ＮＲに初期値“１”をセットする（ＳＣ５）。引き続き、各番組の料金割増コードＫＹ＞１であるか否かを判別し（ＳＣ６）、全ての番組がＫＹ≦１であればＳＣ７の処理を行うことなくＳＣ８に進み、ＫＹ＞１の番組があれば、その番組の「割増」欄に「×」とＫＹの値を描画する（ＳＣ７）。よって、「番組え」のみがＫＹ＞１である本例においては、図１６（Ｃ）に示すように、「番組え」の「割増」欄のみに「×２」が表示される。
【００５４】
また、ＳＣ６又はＳＣ７に続くＳＣ８では、ＳＷ１〜９が押されたか否かを判別する。ここで、ＳＷ１〜９とは、図２に示した文字・数字選択キー９が数字選択の状態である場合における、ひらがな・数字入力キー群１１の“１”〜“９”に対応するキーである。そして、これらＳＷ１〜９のいずれかが押されたならば、押されたＳＷ番号は番組総数ＢＳ（本例では、前記のようにＢＳ＝４）未満か否かを判別し（ＳＣ９）、ＢＳ未満でない場合にはＳＣ８に戻る。また、ＢＳ未満である場合には、ＳＷ番号と同じ番組番号の有料放送コードＵＨが“１”であるか否かを判別する（ＳＣ１０）。そして、ＵＨ＝０であって無料であればＳＣ８に戻り、ＵＨ＝１であって有料であれば、番組許可演算レジスタＢＺＲの現在値から上記番組番号の料金割増コードＫＹの値を減じて、ＢＺＲの値を更新する（ＳＣ１１）。
【００５５】
引き続き、この番組許可演算レジスタＢＺＲ≧０であるか否かを判別し（ＳＣ１２）、ＢＺＲ≧０であればＳＣ１４に進む。しかし、ＢＺＲ≧０の条件を満たさない場合には、前述のＳＣ４でＢＺＲにセットされた有料番組許可数データＵＢＤを超える値の有料番組が選択されたこととなり、この選択された有料番組の視認を許可することはできない。したがって、かかる場合には、番組許可演算レジスタＢＺＲの現在値に上記番組番号の料金割増コードＫＹの値を加えて、ＢＺＲの値をＳＣ１１の処理前の状態に戻し（ＳＣ１３）、再度ＳＣ８から処理を実行する。
【００５６】
しかし、ＢＺＲ≧０であれば、有料番組許可数データＵＢＤが示す値の範囲内での有料番組選択であることから、上記番組の「設定」欄に「〇」を描画する（ＳＣ１４）。さらに、ＮＲの示すＫＢＲに押されたＳＷ番号を格納した後（ＳＣ１５）、ＮＲをインクリメントし（ＳＣ１６）、ＢＺＲ＝０となるまで（ＳＣ１７）、ＳＣ８〜ＳＣ１７のループを繰り返し、ＢＺＲ＝０となった時点で、この有料番組受信設定処理を終了する。したがって、有料番組許可数データＵＢＤが“３”であり、ＳＷ２とＳＷ４とを順次押したとすると、ＳＣ１４の処理により図１６（Ｃ）に示すように、「番組い」と「番組え」の「設定」欄に「〇」が表示され、ＳＣ１５の処理によりＫＢＲ１＝２、ＫＢＲ２＝４となり、かつ、ＫＢＲ３＝０、ＫＢＲ４＝０のままであるとともに、ＢＺＲ＝３−１−２＝０となって、この有料番組受信設定処理を終了する。
【００５７】
また、このとき同図に示すように「設定可能番組数」の値が表示され、この「設定可能番組数」の値は、本例の場合３→２→０と変化してその値を減少させつつ、順次設定可能な番組数を示す。よって、これを視認することにより、設定可能な番組数を認識しつつ設定操作を行うことができる。
【００５８】
他方、前記番組選択操作処理（ＳＡ９）は、図１５に示すフローに従って行われ、前述のＳＷ１〜９が押されたか否かを判別し（ＳＤ１）、これらＳＷ１〜９のいずれかが押されたならば、さらに押されたＳＷ番号は番組総数ＢＳ未満か否かを判別する（ＳＤ２）。ＢＳ未満である場合には、ＳＷ番号と同じ番組番号の有料放送コードＵＨが“０”であるか否かを判別し（ＳＤ３）、ＵＨ＝０であって無料であれば、即時に上記番組の本番組内容データを表示処理する（ＳＤ４）。このＳＤ４の処理により、受信データメモリ４７のメモリエリアに記憶されている無料番組（本例では「番組あ」）の本番組内容が読み出され、表示部６に表示される。
【００５９】
また、ＳＤ３での判別の結果、ＵＨ＝１であって有料番組である場合には、期限切れレジスタＫＧＲが“１”か否か、つまり当該ＩＣカード２が期限切れであるか若しくはスロット２２に装着されていないかを判別し（ＳＤ５）、ＫＧＲ＝０であって有効期限内であれば、ＮＲに“１”をセットする（ＳＤ６）。次に、ＮＲの示すＫＢＲの値は押されたＳＷと同じであるか否かを判別し（ＳＤ７）、同じであれば上記番組の本番組内容データを表示処理する（ＳＤ８）。しかし、同じでない場合には、ＮＲをインクリメントした後（ＳＢ９）、ＮＲの示すＫＢＲの値が“０”か否かを判別し（ＳＤ１０）、“０”でなければＳＤ７に戻り、“０”であればＳＤ１１に進む。
【００６０】
すなわち、図１４をもって前述した有料番組受信設定処理において操作したＳＷと同一番号のＳＷを操作すると、ＳＤ７において必ずＮＲの示すＫＢＲの値が押されたＳＷ番号と同じとなる。つまり、図１４の有料番組受信設定処理おける例では、ＳＷ２とＳＷ４とを順次押し、前記ＳＣ１５の処理によりＫＢＲ１＝２、ＫＢＲ２＝４であり、かつ、ＫＢＲ３＝０、ＫＢＲ４＝０がセットされている。したがって、この番組選択操作処理中において、ＳＷ２を操作すると、ＮＲ＝１の時点で、ＮＲ＝１が示すＫＢＲ１が“２”であることとなって、ＳＤ７でＳＷ２の番号とＫＢＲ１の値“２”とが同じとなる。よって、ＳＤ８では、番組番号２である「番組い」の番組内容を表示部６に表示させる。
【００６１】
また、この番組選択操作処理中において、ＳＷ４を操作すると、ＮＲ＝２の時点で、ＮＲ＝２が示すＫＢＲ２が“４”であることとなって、ＳＤ７でＳＷ４の番号とＫＢＲ１の値“４”とが同じとなる。よって、ＳＤ８では、番組番号４である「番組え」の番組内容を表示部６に表示させる。よって、このように番組選択操作処理中において、有料番組受信設定処理時と同じ番号のＳＷを操作することにより、予め視認することを決定した有料番組の内容を視認することができる。
【００６２】
なお、本例においては前述のように、ＫＢＲ３＝０、ＫＢＲ４＝０がセットされていることから、ＮＲ＝３となった時点で、ＮＲ＝３が示すＫＢＲ３＝０であることにより、ＳＤ１０からＳＤ１１に進む。しかし、ＫＢＲ３にもある番組番号が格納されている場合であっても、ＫＢＲ４に常時“０”が格納されていることから、ＮＲ＝４となった時点でＳＤ１０からＳＤ１１に進むこととなる。
【００６３】
そして、ＮＲの示すＫＢＲの値＝０であって有料番組受信設定処理時と異なる番号のＳＷを操作した場合、及びＫＧＲ＝１であって当該ＩＣカード２が期限切れである場合に、ＳＤ５及びＳＤ１０に続くＳＤ１１では、ＳＷ番号と同じ番組番号の見本番組有無コードＭＢ＝１であるか否かを判別し（ＳＤ１１）、ＭＢ＝０であって見本番組がない場合にはこの番組選択操作処理を終了し、ＭＢ＝０であって見本番組がある場合には、上記番組の見本番組内容データを表示処理する（ＳＤ１２）。
【００６４】
したがって、有料番組受信設定処理時と異なる番号のＳＷを操作することにより、番組選択していない他の有料番組に見本番組があれば、これを自由に視認することができるとともに、ＩＣカード２が期限切れである場合には、番組総数ＢＳ以内の番号のＳＷを操作すれば、見本番組があれば、これを自由に視認することができる。また、この見本番組を視認した結果、利用者が本番組の内容の視認する必要性があると判断した場合には、新たなＩＣカード２を購入するであろうことから、これによりＩＣカード２の購買頻度を高めることができる。
【００６５】
なお、本発明は、移動体ＦＭ多重放送のシステムに適用する他、無線通信を利用するページングシステム等や、各種の通信、放送に幅広く適用できることは勿論である。
【００６６】
【発明の効果】
以上説明したように本発明の情報記憶媒体によれば、この情報記憶媒体を、その装着により有料のサービス情報が受信可能なサービス情報装置を有するシステムに用いることにより、情報記憶媒体を販売する時点で、ポイント数に対応した課金が可能となる。よって、利用者側において利用料金の支払い処理が簡略となるとともに、事業者側において煩雑さを伴うことなく、ポイント数を介して利用者を管理することができる。さらに、利用者はポイント数内において自由にサービス情報の種別を選択できる一方、サービス情報を提供する事業者は、ポイント数を介して、利用者が受けることが可能なサービス情報の種別数を管理することができる。これにより、利用者にサービス情報選択の自由を与えつつ、事業者において利用者のサービス情報の種別利用状況をポイント数を介して管理することができる。また、ポイント数を示すポイント数情報とともに、受信有効期間をも記憶させておけば、ポイント数と受信有効期間との組み合わせにより多様な課金形態が可能となり、緻密な料金体系を確立することができる。
【００６７】
また、本発明のサービス情報受信装置によれば、情報記憶媒体に記憶されているポイント数情報が示すポイント数内おいて任意の種別の有料のサービス情報を選択し、表示に供することから、利用者はポイント数内において自由にサービス情報の種別を選択できる一方、サービス情報を提供する事業者は、ポイント数を介して、利用者が受けることが可能なサービス情報の種別数を管理することができる。これにより、利用者にサービス情報選択の自由を与えつつ、事業者において利用者のサービス情報の種別利用状況をポイント数を介して管理することができる。
【００６８】
さらに、情報記憶媒体に記憶された受信有効期間においてのみ、選択されたサービス情報を表示に供することにより、事業者はサービス情報の選択数と期間との両面から使用者を自己の管理下に置くことができる。よって、利用者のサービス情報の選択自由度を確保しつつ、適正に利用者を管理することができる。
【００６９】
また、サービス情報のリストを表示し、このリスト内において有料のサービス情報表示を無料のサービス情報表示と異なる態様で表示することにより、装置の小型化に伴って狭い面積にて表示を行っても、両者を明瞭となる。また、表示手段が見本サービス情報の有無を表示するとともに、所定の操作に応答して対応する見本サービス情報を表示することにより、必要な見本サービス情報のみを適時的に表示させ得る。
【００７０】
加えて、本発明のサービス情報送受信システムは、サービス情報送信装置側から各有料のサービス情報の重み付けポイント数が送信され、サービス情報受信装置側で、この重み付けポイント数の合計が、最大選択ポイント数を越えない範囲内において、任意の有料のサービスを選択できるようにした。したがって、事業者においてサービス情報の種類に応じた重み付けポイント数を送信することにより、サービス情報の利用可能な種類を管理することができ、サービス情報送信装置とサービス情報受信装置とでサービス情報の種類に応じた課金システムを構築できる。
【００７１】
また、サービス情報送信装置側から、サービス情報のリスト情報と各サービス情報の有料、無料情報とを送信し、サービス情報受信装置側でサービス情報のリストを表示し、有料のサービス情報表示を無料のサービス情報表示と異なる態様で表示するようにした。したがって、リストにおいて、有料のサービス情報と無料のサービス情報とを識別でき、利用者がサービス情報を利用する際のその有料、無料を明確に認識することができる。
【００７２】
さらに、サービス情報送信装置側から、有料のサービス情報の見本である見本サービス情報と、この見本サービス情報の有無を示す識別情報とを送信し、サービス情報受信装置側において、所定の操作に応答して対応する見本サービス情報を表示するようにした。よって、この見本サービス情報を視認した結果、利用者が対応する有料のサービス情報の内容の視認する必要性があると判断する機会が与えられ、これにより有料のサービス情報の利用頻度を高めることができる。
【００７３】
さらに、本発明のサービス情報送受信システムの送受信方法においては、選択した有料のサービス情報の重み付けポイント数の合計が最大選択ポイント数を超えない範囲内において、且つ受信有効期間内において有料のサービス情報を選択でき、これにより、利用者にサービス情報の種別選択の自由を与えつつ課金が可能となる。また、受信有効期間とサービス情報の最大選択ポイント数とが情報記憶媒体に記憶されることにより、利用者は享受するサービス情報の種類や期間に応じて適宜の情報記録媒体を選択して購入することが可能となる。
【００７４】
また、選択したサービス情報の重み付けポイントの合計が最大選択ポイントを超えない範囲内において、且つ受信有効期間内において有料のサービス情報を選択できることから、サービス情報の質と量とを考慮した課金体系をサービス情報送受信システム上で確立することができる。
【図面の簡単な説明】
【図１】本発明の一実施例を適用した移動体ＦＭ多重文字多重放送のシステム構成を示す概略説明図である。
【図２】本実施例のサービス情報受信装置の平面図である。
【図３】同サービス情報受信装置の左側面図である。
【図４】同サービス情報受信装置の右側面図である。
【図５】同サービス情報受信装置の構成を示すブロック図である。
【図６】本実施例のサービス情報受信装置に使用するＩＣカードの構成を示すブロック図である。
【図７】同ＩＣカードのＥＥＰＲＯＭの構成を示す説明図である。
【図８】本実施例のサービス情報送信装置の構成を示すブロック図である。
【図９】サービス情報の送信信号フォーマット図である。
【図１０】本実施例のサービス情報受信装置の処理内容の一部を示すフローチャートである。
【図１１】図１０に続くフローチャートである。
【図１２】図１０に続くフローチャートである。
【図１３】番組選択画面作成処理の内容を示すフローチャートである。
【図１４】有料番組受信設定処理の内容を示すフローチャートである。
【図１５】番組選択操作処理の内容を示すフローチャートである。
【図１６】本実施例の表示例を示す図である。
【符号の説明】
１    サービス情報受信装置
１Ａ    装置本体
２    ＩＣカード
３    ＦＭ放送局
５    キー入力部
６    表示部
３０    ＦＭラジオ部
４０    サービス情報受信部
４３    受信処理部
４８    入力データメモリ
５２    ＥＥＰＲＯＭ
５２ａ    有効期間相対値データ記憶領域
５２ｅ    有料番組許可数データ記憶領域
５３    暗号化受け渡し用ＣＰＵ
７０    サービス情報送信装置
７３    送信処理部
【図１】
0003738327.tif 000003
【図２】
0003738327.tif 000004
【図３】
0003738327.tif 000005
【図４】
0003738327.tif 000006
【図５】
0003738327.tif 000007
【図６】
0003738327.tif 000008
【図７】
0003738327.tif 000009
【図８】
0003738327.tif 000010
【図９】
0003738327.tif 000011
【図１０】
0003738327.tif 000012
【図１１】
0003738327.tif 000013
【図１２】
0003738327.tif 000014
【図１３】
0003738327.tif 000015
【図１４】
0003738327.tif 000016
【図１５】
0003738327.tif 000017
【図１６】
0003738327.tif 000018